(57)【要約】【課題】電磁波の影響をなくして各種の通信ケーブルと電力ケーブルを一緒に収容でき、通信ケーブルが絡むことなく整然と並んで追加の通信ケーブルの引込み作業も容易に行える電線共同溝用トラフを提供する。【解決手段】トラフ本体１の底部１ｃに、電力ケーブル６を収容する凹部１ｄをトラフ本体１の全長に亘って形成すると共に、この凹部１ｄを電磁波遮断板４で覆い、通信ケーブル５を収容する電磁波遮断板４より上側のトラフ本体１の内部に、複数のケーブル挿通孔３ａを形成したケーブル支持板３を一定間隔をあけて複数枚立設して、蓋体２をトラフ本体１に被着した構成の電線共同溝用トラフとする。電力ケーブル６からでる電磁波を電磁波遮断板４で遮断して通信ケーブル５への影響をなくし、ケーブル支持板３で通信ケーブル５を整然と並べて収容する。トラフ本体の底部から電磁波遮断用の仕切り壁を立設して、電力ケーブル収容部と通信ケーブル収容部に仕切る構成としてもよい。【選択図】　図５
2004120956.tif 000002
【特許請求の範囲】
【請求項１】
トラフ本体の底部に、電力ケーブルを収容する凹部をトラフ本体の全長に亘って形成すると共に、この凹部を電磁波遮断板で覆い、通信ケーブルを収容する電磁波遮断板より上側のトラフ本体の内部に、複数のケーブル挿通孔を形成したケーブル支持板をトラフ本体の長手方向に一定間隔をあけて複数枚立設して、蓋体をトラフ本体に被着したことを特徴とする電線共同溝用トラフ。
【請求項２】
トラフ本体の底部から電磁波遮断用の仕切り壁をトラフ本体の全長に亘って立設して、トラフ本体の内部を電力ケーブル収容部と通信ケーブル収容部とに仕切り、通信ケーブル収容部に、複数のケーブル挿通孔を形成したケーブル支持板をトラフ本体の長手方向に一定間隔をあけて複数枚立設して、蓋体をトラフ本体に被着したことを特徴とする電線共同溝用トラフ。
【請求項３】
電磁波遮断板が鉄板である請求項１に記載の電線共同溝用トラフ。
【請求項４】
電磁波遮断用の仕切り壁が、片面に鉄板を貼着したものである請求項２に記載の電線共同溝用トラフ。
【請求項５】
ケーブル支持板のケーブル挿通孔が、ベルマウス形状に形成されている請求項１又は請求項２に記載の電線共同溝用トラフ。
【発明の詳細な説明】
【０００１】
【発明の属する技術分野】
本発明は幅員の狭い歩道等に埋設される小型の電線共同溝用トラフに関する。
【０００２】
【従来の技術】
近年、新地中化計画に基づき、電線共同溝の整備が進められている。電線共同溝を幅員の狭い歩道や歩道のない道路区間に施工する場合は、電線共同溝をコンパクト化する必要があるため、小型の電線共同溝用トラフを歩道等の舗装の表層下に埋設して、このトラフの内部に各種の通信ケーブルと低圧の電力ケーブルを一緒に収容することが望まれる。
【０００３】
【発明が解決しようとする課題】
しかしながら、小型の電線共同溝用トラフの内部に、通信ケーブルと電力ケーブルを一緒に収容すると、電力ケーブルから出る電磁波が通信ケーブルに悪影響を与えるという問題がある。
【０００４】
また、小型の電線共同溝用トラフの内部に、光ケーブルやＣＡＴＶケーブルなどの多数の通信ケーブルを収容すると、ケーブル同士が絡み合って雑然とした状態になるため、ケーブルの種類等が分かり難くなる上に、追加の新しいケーブルを引き込もうとしても、絡み合ったケーブルが邪魔になって容易に新しいケーブルを引き込むことができないという問題もある。
【０００５】
本発明は上記の問題に対処すべくなされたもので、その目的とするところは、電磁波の影響をなくして各種の通信ケーブルと電力ケーブルを一緒に収容でき、通信ケーブルが絡まず整然と並んで追加の通信ケーブルの引込み作業も容易に行える電線共同溝用トラフを提供することにある。
【０００６】
【課題を解決するための手段】
上記目的を達成するため、本発明の電線共同溝用トラフは、トラフ本体の底部に、電力ケーブルを収容する凹部をトラフ本体の全長に亘って形成すると共に、この凹部を電磁波遮断板で覆い、通信ケーブルを収容する電磁波遮断板より上側のトラフ本体の内部に、複数のケーブル挿通孔を形成したケーブル支持板をトラフ本体の長手方向に一定間隔をあけて複数枚立設して、蓋体をトラフ本体に被着したことを特徴とするものである。
【０００７】
このような構成の電線共同溝用トラフは、トラフ本体の底部に形成された凹部に電力ケーブルを収容すると共に、電磁波遮断板より上側のトラフ本体の内部に立設されたケーブル支持板のケーブル挿通孔に各種の通信ケーブルを挿通することによって、通信ケーブルを整然と並べた状態で電力ケーブルと一緒に収容することができ、このように一緒に収容しても、電力ケーブルから出る電磁波が電磁波遮断板によって遮断されるため通信ケーブルに悪影響を与えることはない。そして、追加の新しいケーブルを引込む場合は、引込み用のワイヤー等を用いて、ケーブル支持板の余っているケーブル挿通孔に追加のケーブルを通すことにより、整然と並べた状態で容易に引込むことができる。更に、電力ケーブルと通信ケーブルが電磁波遮断板により上下に分離されているので、トラフ本体の側壁に孔をあけることにより、電力ケーブルと通信ケーブルを干渉することなく横方向に引き出すことができる。
【０００８】
この電線共同溝用トラフにおいては、電磁波遮断板として、電磁波遮断性能に優れた鉄板を使用することが望ましく、このような鉄板を使用すると、通信ケーブルへの悪影響を充分に防止することができる。
【０００９】
また、本発明のもう一つの電線共同溝用トラフは、トラフ本体の底部から電磁波遮断用の仕切り壁をトラフ本体の全長に亘って立設して、トラフ本体の内部を電力ケーブル収容部と通信ケーブル収容部とに仕切り、通信ケーブル収容部に、複数のケーブル挿通孔を形成したケーブル支持板をトラフ本体の長手方向に一定間隔をあけて複数枚立設して、蓋体をトラフ本体に被着したことを特徴とするものである。
【００１０】
このような構成の電線共同溝用トラフは、電力ケーブル収容部に電力ケーブルを収容すると共に、通信ケーブル収容部に立設されたケーブル支持板のケーブル挿通孔に各種の通信ケーブルを挿通することによって、通信ケーブルを整然と並べた状態で電力ケーブルと一緒に収容することができ、このように一緒に収容しても、電力ケーブルから出る電磁波が電磁波遮断用の仕切り壁によって遮断されるため通信ケーブルに悪影響を与えることはない。そして、この電線共同溝用トラフも、ケーブル支持板の余っているケーブル挿通孔に追加のケーブルを通すことにより、整然と並べた状態で追加のケーブルを容易に引込むことができる。
【００１１】
この電線共同溝用トラフにおいては、片面に鉄板を貼着した電磁波遮断用の仕切り壁を立設することが望ましく、このような仕切り壁を立設すると、片面の鉄板によって優れた電磁波遮断作用が発揮されるため、通信ケーブルへの悪影響を充分に防止することができる。
【００１２】
また、上記のいずれの電線共同溝用トラフにおいても、ケーブル支持板のケーブル挿通孔をベルマウス形状、即ち、先端に近づくにつれて孔径が漸増する先広がり形状に形成することが望ましく、このようなベルマウス形状のケーブル挿通孔を形成すると、通信ケーブルが孔縁部に引掛かることなくスムーズに挿通されるため、通信ケーブルの損傷を防止できると共に、損傷部分から侵入する水分によってトラブルが発生するのを防止することができる。
【発明の実施の形態】
以下、図面を参照して本発明の具体的な実施形態を詳述する。
【００１３】
図１は本発明の一実施形態に係る電線共同溝用トラフの分解斜視図、図２は同電線共同溝用トラフのトラフ本体の平面図、図３は同トラフに使用されるケーブル支持板の正面図、図４は同ケーブル支持板のＡ−Ａ線拡大断面図、図５は同トラフの断面図、図６は同トラフの埋設施工状態を示す概略断面図である。
【００１４】
この実施形態に係る電線共同溝用トラフは、図１に示すように、トラフ本体１と、二枚の蓋体２と、数枚（図１では７枚）のケーブル支持板３と、電磁波遮断板４とによって構成されている。
【００１５】
トラフ本体１は、コンクリートで成形された略Ｕ字形の断面形状を有する樋状の長尺成形体であって、図１，図２に示すように、トラフ本体１の両側壁１ａ，１ａの上端には蓋受段部１ｂ，１ｂが形成されている。そして、このトラフ本体１の底部１ｃには、低圧の電力ケーブルを収容する凹部１ｄがトラフ本体１の全長に亘って形成されており、また、トラフ本体１の両側壁１ａ，１ａの内面には、相対向する複数組（図１，図２では７組）の縦溝１ｅ，１ｅがトラフ本体１の長手方向に一定間隔をあけて形成されている。
【００１６】
このトラフ本体１の底部１ｃには電磁波遮断板４が重ねて設けられており、この電磁波遮断板４によって電力ケーブルを収容する凹部１ｄが覆われている。電磁波遮断板４としては、電磁波遮断性能に優れた鉄板等が好ましく使用される。
【００１７】
上記のトラフ本体１は、コンクリート以外の材料、例えばＳＭＣ（シートモールディングコンパウンド）や他の合成樹脂等で成形してもよく、その場合はトラフ本体１の肉厚を薄くして、耐圧強度や剛性を高めるための補強リブを設けることが好ましい。
【００１８】
トラフ本体１に被せる蓋体２は、コンクリート等で矩形板状に成形されたものであり、トラフ本体１に二枚被着できるように蓋体２の長さがトラフ本体１の長さの半分とされている。これらの蓋体２は、図５に示すように、その両側縁をトラフ本体１の蓋受段部１ｂ，１ｂに係止することによって、脱着可能に被着される。なお、これらの蓋体２を前記のＳＭＣや合成樹脂で成形しても勿論よい。
【００１９】
ケーブル支持板３は、図１、図３、図４に示すような長方形の板であり、ＳＭＣその他の合成樹脂製のものが好ましく使用されるが、金属製のものも使用される。図３に示すように、このケーブル支持板３には、複数のケーブル挿通孔３ａが横一列に並べられて上下に二列形成されており、各ケーブル挿通孔３ａは、図４に示すように、ベルマウス形状、即ち、先端に近づくにつれて孔径が漸増する先広がり形状に形成されている。
【００２０】
このようなベルマウス形状のケーブル挿通孔３ａを設けると、通信ケーブル５をケーブル挿通孔３ａの孔縁部に引掛けることなくスムーズに挿通できるので、通信ケーブル５の損傷を防止することができると共に、損傷部分から浸入する水分によってトラブルが発生するのを防止することができる。また、上記のようにケーブル挿通孔３ａが上下に二列形成されていると、多数の通信ケーブル５を収容できることは言うまでもないが、図５に示すように、例えば下側の列のケーブル挿通孔３ａに、収容すべき通信ケーブル５を挿通し、上側の列のケーブル挿通孔３ａに、トラフ本体１の側方へ引き出すべき通信ケーブル５ａを挿通することによって、上側の通信ケーブル５ａを下側の通信ケーブル５と接触しないようにトラフ側方へ引き出すことができるので好都合である。更に、電力ケーブル６と通信ケーブル５は電磁波遮断板４により上下に分離されているので、トラフ本体の側壁に孔をあけることにより、引き出すべき電子ケーブル６ａも通信ケーブル５と干渉することなく横方向に引き出すことができる。
【００２１】
なお、ベルマウス形状のケーブル挿通孔３ａは一列だけ形成してもよいし、上下に三列以上形成してもよい。また、ベルマウス形状のケーブル挿通孔３ａは、図４に示すように合成樹脂等でケーブル支持板３と一体に形成してもよいし、場合によっては金属等で強度の大きいベルマウス形状のケーブル挿通孔３ａを別個に形成してケーブル支持板３に取付けるようにしてもよい。図４に示すケーブル挿通孔３ａは、ケーブル支持板３の前後両側に突き出すように形成されているが、前後いずれか片側に突き出すように形成し、この突き出したケーブル挿通孔が通信ケーブル５を挿し込む側となるようにケーブル支持板３をトラフ本体１内に立設してもよい。
【００２２】
上記のケーブル支持板３は、その四周縁（上縁３ｂと左右側縁３ｃ，３ｄと下縁３ｅ）がトラフ本体１の前記縦溝１ｅ，１ｅの溝幅にほぼ等しい幅寸法を有する方形枠状に形成されており、図１，図４に示すように、トラフ本体１の縦溝１ｅ，１ｅにケーブル支持板３の左右側縁３ｃ，３ｄを上方から嵌挿することによって、電磁波遮断板４より上側のトラフ本体１の内部に一定間隔を開けてガタツキなく立設されている。このようにケーブル支持板３の左右側縁３ｃ，３ｄを縦溝１ｅ，１ｅに嵌挿して立設すると、固定用の金具等が一切不要となるので部品点数が減少し、ケーブル支持板３の立設作業を極く短時間で効率良く行うことができる。
【００２３】
ケーブル支持板３の相互間隔は特に限定されないが、例えば０．３〜１ｍ程度に設定することが好ましく、この程度の間隔とすれば、ケーブル挿通孔３ａに挿通した通信ケーブル４が大きく下方にたわまないようにほぼ直線に近い状態で支持することができる。
【００２４】
図１，図５に示すように、電磁波遮断板４より上側のトラフ本体１の内部にケーブル支持板３を立設した状態では、ケーブル支持板３の上縁３ｂとトラフ本体１の蓋受段部１ｂ，１ｂが同じ高さになっている。従って、蓋体２をトラフ本体１に被着すると、ケーブル支持板３の上縁３ｂが蓋体２の下面に当接して蓋体２を下方から支えるため、上方から作用する圧力に対する耐圧強度が向上し、蓋体２が割れたりトラフ本体１が押し潰されたりし難くなる。また、トラフ本体１の両側壁１ａ，１ａもケーブル支持板３によって内側から支えられるので、左右からトラフ本体１に作用する土圧に対する耐圧強度も向上する。このような耐圧強度の向上効果は、上述したようにケーブル支持板３の相互間隔が０．３〜１ｍ程度であると、充分に発揮される。
【００２５】
以上のような構成の電線共同溝用トラフは、図６に示すように、トラフ本体１を幅員の狭い歩道７の舗装の表層７ａの下側に敷設し、電力ケーブル６をトラフ本体１の凹部１ｄに引き込んで収容すると共に、各ケーブル支持板３のケーブル挿通孔３ａに光ケーブルやＣＡＴＶケーブル等の各種の通信ケーブル５を挿通することによって、通信ケーブル５を絡まないように整然と並べた状態でトラフ本体１内に収容し、蓋体２をトラフ本体１に被着して、表層７ａ下に埋設される。このように電力ケーブル６と通信ケーブル５を一緒に収容しても、電力ケーブル６から出る電磁波は電磁波遮断板４によって遮断されるため、通信ケーブル５に悪影響を与えることはない。また、追加の新しい通信ケーブルを引込む場合は、引込み用のワイヤー等を用いて、ケーブル支持板３の余っているケーブル挿通孔３ａに追加のケーブルを通すことにより、整然と並べた状態で容易に引込むことができるので、作業性が良好である。
【００２６】
このように、上記の電線共同溝用トラフは、電磁波の影響をなくして電力ケーブル６と通信ケーブル５を一緒に収容できるため、電力ケーブル６を樹脂管等に挿通してトラフの下方に別途埋設する必要がなくなり、その分だけ施工が簡単になると共に、電線共同溝のコンパクト化を図ることができる。
【００２７】
図７は本発明の他の実施形態に係る電線共同溝用トラフの分解斜視図、図８は同電線共同溝用トラフのトラフ本体の平面図、図９は同トラフの断面図である。
【００２８】
この電線共同溝用トラフは、図７に示すように、略Ｕ字形の断面形状を有するトラフ本体１の底部１ｃから電磁波遮断用の仕切り壁１ｆがトラフ本体１の全長に亘って立設されており、この仕切り壁１ｆによってトラフ本体１の内部が電力ケーブル収容部１ｇと通信ケーブル収容部１ｈとに仕切られている。そして、仕切り壁１ｆの電磁波遮断性能を高めるために、仕切り壁１ｆの電力ケーブル収容部側の片面に鉄板１ｉが貼着されている。
【００２９】
また、図８に示すように、トラフ本体１の通信ケーブル収容部１ｈの両側に位置する側壁１ａと仕切り壁１ｆには、複数組の相対向する縦溝１ｅ，１ｅがトラフ本体の長手方向に一定間隔をあけて形成されており、これらの縦溝１ｅ，１ｅの下端同士をつなぐ横溝１ｊがトラフ本体１の底部１ｃに形成されている。そして、図７，図９に示すように、これらの縦溝１ｅ，１ｅと横溝１ｊにケーブル支持板３の左右側縁３ｃ，３ｄと下縁３ｅを上方から嵌挿することによって、ケーブル支持板３が通信ケーブル収容部１ｈに一定間隔をあけてガタツキなく複数枚立設されている。
【００３０】
ケーブル支持板３は、前述のケーブル支持板３と同様に、ベルマウス形状のケーブル挿通孔３ａを横一列に並べて上下二列に形成したものであって、その横寸法が通信ケーブル収容部１ｈの幅寸法に合致するように前述のケーブル支持板３よりも小さく設定されている。
【００３１】
この電線共同溝用トラフのその他の構造は前述した電線共同溝用トラフと同様であるので、図７、図８、図９において同一部材に同一符号を付し、説明を省略する。
【００３２】
このような構成の電線共同溝用トラフは、図９に示すように、電力ケーブル収容部１ｇに電力ケーブル６を収容すると共に、通信ケーブル収容部１ｈに立設されたケーブル支持板３のケーブル挿通孔３ａに各種の通信ケーブル５を挿通することによって、通信ケーブル５を絡まないように整然と並べた状態で電力ケーブル６と一緒に収容することができ、このように一緒に収容しても、電力ケーブル６から出る電磁波が、片面に鉄板１ｉを貼着した電磁波遮断用の仕切り壁１ｆによって充分に遮断されるため、通信ケーブル５に悪影響を与えることはない。そして、この電線共同溝用トラフも、ケーブル支持板３の余っているケーブル挿通孔３ａに追加のケーブルを通すことにより、整然と並べた状態で追加のケーブルを容易に引込むことができる。
【００３３】
上記のように、この電線共同溝用トラフも、電磁波の影響をなくして電力ケーブル６と通信ケーブル５を一緒に収容できるため、電力ケーブル６を樹脂管等に挿通してトラフの下方に別途埋設する必要がなくなり、施工が簡単になると共に電線共同溝のコンパクト化を図ることができる。
【００３４】
【発明の効果】
以上の説明から明らかなように、本発明の電線共同溝用トラフは、電磁波遮断板や電磁波遮断用の仕切り壁によって、電力ケーブルから出る電磁波が遮断されるため、通信ケーブルに悪影響を与えることなく電力ケーブルと通信ケーブルを一緒に整然と並べた状態で収容することができ、追加の通信ケーブルの引込み作業も簡単で、電線共同溝のコンパクト化及び施工性の向上を図ることができるといった顕著な効果を奏する。
【図面の簡単な説明】
【図１】本発明の一実施形態に係る電線共同溝用トラフの分解斜視図である。
【図２】同電線共同溝用トラフのトラフ本体の平面図である。
【図３】同電線共同溝用トラフに使用されるケーブル支持板の正面図である。
【図４】同ケーブル支持板のＡ−Ａ線拡大断面図である。
【図５】同電線共同溝用トラフの断面図である。
【図６】同トラフの埋設施工状態を示す概略断面図である。
【図７】本発明の他の実施形態に係る電線共同溝用トラフの分解斜視図である。
【図８】同電線共同溝用トラフのトラフ本体の平面図である。
【図９】同電線共同溝用トラフの断面図である。
【符号の説明】
１　トラフ本体
１ｃ　トラフ本体の底部
１ｄ　電力ケーブルを収容する凹部
１ｆ　電磁波遮断用の仕切り壁
１ｇ　電力ケーブル収容部
１ｈ　通信ケーブル収容部
１ｉ　仕切り壁に貼着される鉄板
２　蓋体
３　ケーブル支持板
３ａ　ケーブル挿通孔
４　電磁波遮断板
５，５ａ　通信ケーブル
６　電力ケーブル
【図１】
2004120956.tif 000003
【図２】
2004120956.tif 000004
【図３】
2004120956.tif 000005
【図４】
2004120956.tif 000006
【図５】
2004120956.tif 000007
【図６】
2004120956.tif 000008
【図７】
2004120956.tif 000009
【図８】
2004120956.tif 000010
【図９】
2004120956.tif 000011